(57)【要約】【課題】タイムスイッチを用いた電圧均等化装置が開示される。【解決手段】電圧均等化装置は、直列に連結された複数のエネルギー貯蔵単位セルと、複数のエネルギー貯蔵単位セル間の均等充電のために、第１スイッチモジュールを介して各エネルギー貯蔵単位セルと並列に連結される単一の第１バランスキャパシタと、各エネルギー貯蔵単位セルと第１バランスキャパシタ間に設けられ、各エネルギー貯蔵単位セルと第１バランスキャパシタ間の連結を順次に開閉する、複数のスイッチを有する第１スイッチモジュールと、を含むことを特徴とする。これによって、低コストでエネルギー貯蔵単位セル間の電圧ばらつきを防止することができる。【選択図】図１
2012044855.tif 000002
【特許請求の範囲】
【請求項１】
直列に連結された複数のエネルギー貯蔵単位セルと、
前記複数のエネルギー貯蔵単位セル間の均等充電のために、第１スイッチモジュールを介して各エネルギー貯蔵単位セルと並列に連結される単一の第１バランスキャパシタと、
前記各エネルギー貯蔵単位セルと前記第１バランスキャパシタ間に設けられ、前記各エネルギー貯蔵単位セルと前記第１バランスキャパシタ間の連結を順次に開閉する、複数のスイッチを有する第１スイッチモジュールと、
を含むことを特徴とする電圧均等化装置。
【請求項２】
前記複数のスイッチそれぞれは、
一対のスイッチであって、予め設定された周期に従ってオン／オフを繰り返すタイムスイッチを含むことを特徴とする請求項１に記載の電圧均等化装置。
【請求項３】
前記第１スイッチモジュールは、
第１エネルギー貯蔵単位セルから最終エネルギー貯蔵単位セルの順に前記第１バランスキャパシタとの連結を順次に開閉する過程を繰り返すことを特徴とする請求項２に記載の電圧均等化装置。
【請求項４】
前記第１スイッチモジュールは、
第１エネルギー貯蔵単位セルから最終エネルギー貯蔵単位セルまで前記第１バランスキャパシタとの連結を順次に開閉した後、前記最終エネルギー貯蔵単位セルから再び前記第１エネルギー貯蔵単位セルの順に前記第１バランスキャパシタとの連結を順次に開閉する過程を繰り返すことを特徴とする請求項２に記載の電圧均等化装置。
【請求項５】
前記電圧均等化装置は、
前記複数のエネルギー貯蔵単位セル間の均等充電のために、第２スイッチモジュールを介して前記各エネルギー貯蔵単位セルと並列に連結される単一の第２バランスキャパシタと、
前記各エネルギー貯蔵単位セルと前記第２バランスキャパシタ間に設けられ、前記各エネルギー貯蔵単位セルと前記第２バランスキャパシタ間の連結を順次に開閉する、複数のスイッチを有する第２スイッチモジュールと、
をさらに含むことを特徴とする請求項２に記載の電圧均等化装置。
【請求項６】
前記第１スイッチモジュールは、
第１エネルギー貯蔵単位セルから最終エネルギー貯蔵単位セルの順に前記第１バランスキャパシタとの連結を順次に開閉する過程を繰り返し，
前記第２スイッチモジュールは、
前記最終エネルギー貯蔵単位セルから前記第１エネルギー貯蔵単位セルの順に前記第２バランスキャパシタとの連結を順次に開閉する過程を繰り返すことを特徴とする請求項５に記載の電圧均等化装置。
【請求項７】
前記第１スイッチモジュールは、
第１エネルギー貯蔵単位セルから最終エネルギー貯蔵単位セルまで前記第１バランスキャパシタとの連結を順次に開閉した後、前記最終エネルギー貯蔵単位セルから再び前記第１エネルギー貯蔵単位セルの順に前記第１バランスキャパシタとの連結を順次に開閉する過程を繰り返し、
前記第２スイッチモジュールは、
前記最終エネルギー貯蔵単位セルから前記第１エネルギー貯蔵単位セルまで前記第２バランスキャパシタとの連結を順次に開閉した後、前記第１エネルギー貯蔵単位セルから再び前記最終エネルギー貯蔵単位セルの順に前記第２バランスキャパシタとの連結を順次に開閉する過程を繰り返すことを特徴とする請求項５に記載の電圧均等化装置。
【請求項８】
前記各エネルギー貯蔵単位セルは、
電気二重層キャパシタ、アルミニウム電解コンデンサ、タンタル電解コンデンサのうち１つであることを特徴とする請求項１に記載の電圧均等化装置。
【発明の詳細な説明】
【技術分野】
【０００１】
本発明は、タイムスイッチを用いた電圧均等化装置に関し、複数のエネルギー貯蔵単位セルとバランスキャパシタを安価なタイムスイッチを介して並列に連結し、各エネルギー貯蔵単位セルとバランスキャパシタとの連結を順次に開閉することによって、エネルギー貯蔵単位セル間の電圧を均等化するための電圧均等化装置に関する。
【背景技術】
【０００２】
ウルトラキャパシタは次世代核心エネルギー貯蔵装置であって、既存のキャパシタに比べて低いエネルギー密度と二次電池の低出力特性とを補完するエネルギー貯蔵装置である。また、零下４０度という極低温から７０度に至る広い作動温度と優れた長期信頼性を有し、未来型自動車及び産業電力システムなど多様な分野に応用できる新技術である。
【０００３】
このようなウルトラキャパシタは、通常、単位セルを直列に連結してスーパーキャパシタモジュールを構成し、インバータまたはコンバータの入力端に連結して使用している。このように単位セルを直列連結して使用する場合、各単位セルに充電される電圧はそれぞれのキャパシタ値によって分配される。
【０００４】
一方、直列連結された単位セルが均一なインピーダンスを有しない場合は単位セル当たりで異なる大きさの漏れ電流が流れるようになり、特に、高い漏れ電流が流れる単位セルの電圧はより低くなる。これによって、単位セル当たりの充電される電圧にはばらつきが生じ、スーパーキャパシタモジュールの単位セルの寿命を急激に短縮させたり、火災や爆発のような事故を起こしたりする原因となる。
【０００５】
このような問題を解決するために単位セル間の電圧を均等化するための研究が進められている。しかし、多くの電圧均等化装置には高価なコントローラが用いられており、製造コストが上昇するという問題点がある。
【先行技術文献】
【特許文献】
【０００６】
【特許文献１】韓国公開特許第２０１０−００９３４６４号公報
【発明の概要】
【発明が解決しようとする課題】
【０００７】
本発明は上記問題点を解決するために案出されたもので、本発明の目的は、エネルギー貯蔵単位セル間の電圧ばらつきを防止できる電圧均等化装置を提供することにある。
【０００８】
また、低コストで具現できる電圧均等化装置を提供することを目的とする。
【課題を解決するための手段】
【０００９】
上記の目的を達成するために、本発明による電圧均等化装置は、直列に連結された複数のエネルギー貯蔵単位セルと、複数のエネルギー貯蔵単位セル間の均等充電のために、第１スイッチモジュールを介して各エネルギー貯蔵単位セルと並列に連結される単一の第１バランスキャパシタと、各エネルギー貯蔵単位セルと第１バランスキャパシタ間に設けられ、各エネルギー貯蔵単位セルと第１バランスキャパシタ間の連結を順次に開閉する、複数のスイッチを有する第１スイッチモジュールと、を含むことができる。
【００１０】
複数のスイッチそれぞれは、一対のスイッチであって、予め設定された周期に従ってオン／オフを繰り返すタイムスイッチを含むことができる。
【００１１】
第１スイッチモジュールは、第１エネルギー貯蔵単位セルから最終エネルギー貯蔵単位セルの順に第１バランスキャパシタとの連結を順次に開閉する過程を繰り返すことができる。
【００１２】
また、第１スイッチモジュールは、第１エネルギー貯蔵単位セルから最終エネルギー貯蔵単位セルまで第１バランスキャパシタとの連結を順次に開閉した後、最終エネルギー貯蔵単位セルから再び第１エネルギー貯蔵単位セルの順に第１バランスキャパシタとの連結を順次に開閉する過程を繰り返すことができる。
【００１３】
また、電圧均等化装置は、複数のエネルギー貯蔵単位セル間の均等充電のために、第２スイッチモジュールを介して各エネルギー貯蔵単位セルと並列に連結される単一の第２バランスキャパシタと、各エネルギー貯蔵単位セルと第２バランスキャパシタ間に設けられ、各エネルギー貯蔵単位セルと第２バランスキャパシタ間の連結を順次に開閉する、複数のスイッチを有する第２スイッチモジュールをさらに含むことができる。
【００１４】
第１スイッチモジュールは、第１エネルギー貯蔵単位セルから最終エネルギー貯蔵単位セルの順に第１バランスキャパシタとの連結を順次に開閉する過程を繰り返し、第２スイッチモジュールは、最終エネルギー貯蔵単位セルから第１エネルギー貯蔵単位セルの順に第２バランスキャパシタとの連結を順次に開閉する過程を繰り返すことができる。
【００１５】
第１スイッチモジュールは、第１エネルギー貯蔵単位セルから最終エネルギー貯蔵単位セルまで第１バランスキャパシタとの連結を順次に開閉した後、最終エネルギー貯蔵単位セルから再び第１エネルギー貯蔵単位セルの順に第１バランスキャパシタとの連結を順次に開閉する過程を繰り返し、第２スイッチモジュールは、最終エネルギー貯蔵単位セルから第１エネルギー貯蔵単位セルまで第２バランスキャパシタとの連結を順次に開閉した後、第１エネルギー貯蔵単位セルから再び最終エネルギー貯蔵単位セルの順に第２バランスキャパシタとの連結を順次に開閉する過程を繰り返すことができる。
【００１６】
各エネルギー貯蔵単位セルは、電気二重層キャパシタ、アルミニウム電解コンデンサ、タンタル電解コンデンサのうち１つを含むことができる。
【発明の効果】
【００１７】
本発明によると、複数のエネルギー貯蔵単位セルと１つのバランスキャパシタをタイムスイッチを介して並列に連結し、各エネルギー貯蔵単位セルとバランスキャパシタとの連結を順次に開閉することによって、エネルギー貯蔵単位セル間の電圧ばらつきを防止できる。
【００１８】
また、本発明によると、マイクロプロセッサのような高価な素子の代わりに、安価なタイムスイッチを用いて電圧均等化を行うため、低コストで具現することができる。
【図面の簡単な説明】
【００１９】
【図１】本発明の第１実施例による電圧均等化装置の構成図である。
【図２】図１の第１実施例による電圧均等化装置で使用される複数のタイムスイッチの連結開閉を示したタイミング図である。
【図３】本発明の第２実施例による電圧均等化装置の構成図である。
【図４】図３の第２実施例による電圧均等化装置で使用される複数のタイムスイッチの連結開閉を示したタイミング図である。
【発明を実施するための形態】
【００２０】
図１は、本発明の第１実施例による電圧均等化装置の構成図である。第１実施例による電圧均等化装置は、直列に連結された複数のエネルギー貯蔵単位セルＥＳ１〜ＥＳ４を含むエネルギー貯蔵モジュール１００と、１つの第１バランスキャパシタＣｂ１と、複数のスイッチＴＳＷ１〜ＴＷ４を有する第１スイッチモジュール１１０とを含むことができる。一方、図２は、図１の第１実施例による均等化装置で使用される複数のタイムスイッチの連結開閉を示したタイミング図である。
【００２１】
以下、図１から図２を参照し、本発明の電圧均等化装置を詳しく説明する。
【００２２】
エネルギー貯蔵モジュール１００は、直列に連結された複数のエネルギー貯蔵単位セルＥＳ１〜ＥＳ４を含み、好ましくは、エネルギー貯蔵単位セルＥＳ１〜ＥＳ４は電気二重層キャパシタ（Ｄｏｕｂｌｅ  Ｌａｙｅｒ  Ｃａｐａｃｉｔｏｒ，ＤＬＣ）、アルミニウム電解コンデンサ、タンタル電解コンデンサのうち１つ以上を含むことができる。図１では、エネルギー貯蔵モジュール１００が４個の単位セルＥＳ１〜ＥＳ４のみを含んでいるが、これは説明の便宜のためであり、単位セルの個数は当業者の必要に応じて変更して実施することができる。
【００２３】
第１バランスキャパシタＣｂ１は、例えば、キャパシタなどのような、エネルギーを貯蔵するための素子である。特に、第１バランスキャパシタＣｂ１は、図２のようなタイミングに従って動作する第１スイッチモジュール１１０の動作により各エネルギー貯蔵単位セルＥＳ１〜ＥＳ４と順次に連結して開閉されることで、エネルギー貯蔵単位セルＥＳ１〜ＥＳ４間の電圧を均等化することができる。本発明の一実施例によると、第１バランスキャパシタＣｂ１は１つのキャパシタのみを用いて電圧均等化を達成できるため、電圧均等化装置の製造コストを低めることができるという長所を有する。
【００２４】
第１スイッチモジュール１１０は、複数のスイッチを含み、複数のスイッチそれぞれは一対で構成される。また、各対のスイッチは同じ時点でオン／オフされるように動作する。具体的には、一対のスイッチＴＳＷ１の一方は第１エネルギー貯蔵単位セルＥＳ１の一端と第１バランスキャパシタＣｂ１の一端の間に置かれ、一対のスイッチＴＳＷ１の他方は第１エネルギー貯蔵単位セルＥＳ１の他端と第１バランスキャパシタＣｂ１の他端の間に置かれ、一対のスイッチＴＳＷ２の一方は第２エネルギー貯蔵単位セルＥＳ２の一端と第１バランスキャパシタＣｂ１の一端の間に置かれ、一対のスイッチＴＳＷ２の他方は第２エネルギー貯蔵単位セルＥＳ２の他端と第１バランスキャパシタＣｂ１の他端の間に置かれ、一対のスイッチＴＳＷ３の一方は第３エネルギー貯蔵単位セルＥＳ３の一端と第１バランスキャパシタＣｂ１の一端の間に置かれ、一対のスイッチＴＳＷ３の他方は第３エネルギー貯蔵単位セルＥＳ３の他端と第１バランスキャパシタＣｂ１の他端の間に置かれ、一対のスイッチＴＳＷ４の一方は第４エネルギー貯蔵単位セルＥＳ４の一端と第１バランスキャパシタＣｂ１の一端間に置かれ、一対のスイッチＴＳＷ４の他方は第４エネルギー貯蔵単位セルＥＳ４の他端と第１バランスキャパシタＣｂ１の他端間に置かれる。このような各対のスイッチＴＳＷ１〜ＴＳＷ４は、予め設定された周期でオン／オフを繰り返すタイムスイッチを含むことができる。
【００２５】
上述した第１スイッチモジュール１１０の連結開閉の順序を図２を参照して詳しく説明する。
【００２６】
図２の（ａ）を参照すると、まず、ｔ１時点で一対のスイッチＴＳＷ１がターンオンされ、第１エネルギー貯蔵単位セルＥＳ１と第１バランスキャパシタＣｂ１が連結される。これによって、第１エネルギー貯蔵単位セルＥＳ１と第１バランスキャパシタＣｂ１の電圧が同一となる。一方、一定の時点を経過すると、一対のスイッチＴＳＷ１がターンオフされる。
【００２７】
その後、ｔ２時点で、一対のスイッチＴＳＷ２がターンオンされ、第２エネルギー貯蔵単位セルＥＳ２と第１バランスキャパシタＣｂ１が連結される。これによって、第２エネルギー貯蔵単位セルＥＳ２と第１バランスキャパシタＣｂ１の電圧が同一となる。一方、一定の時点を経過すると、一対のスイッチＴＳＷ２がターンオフされる。
【００２８】
その後、ｔ３時点で、一対のスイッチＴＳＷ３がターンオンされ、第３エネルギー貯蔵単位セルＥＳ３と第１バランスキャパシタＣｂ１が連結される。これによって、第３エネルギー貯蔵単位セルＥＳ３と第１バランスキャパシタＣｂ１の電圧が同一となる。一方、一定の時点を経過すると、一対のスイッチＴＳＷ３がターンオフされる。
【００２９】
その後、ｔ４時点で、一対のスイッチＴＳＷ４がターンオンされ、第４エネルギー貯蔵単位セルＥＳ４と第１バランスキャパシタＣｂ１が連結される。これによって、第４エネルギー貯蔵単位セルＥＳ４と第１バランスキャパシタＣｂ１の電圧が同一となる。一方、一定の時点を経過すると、一対のスイッチＴＳＷ４がターンオフされる。
【００３０】
即ち、図２の（ａ）によると、第１エネルギー貯蔵単位セルＥＳ１から第４エネルギー貯蔵単位セルＥＳ４の順に連結が開閉された後、さらに第１エネルギー貯蔵単位セルＥＳ１から第４エネルギー貯蔵単位セルＥＳ４の順に連結が開閉される過程を繰り返すようになる。
【００３１】
上述した過程は、繰り返し行われることができ、１つの第１バランスキャパシタＣｂ１を各エネルギー貯蔵単位セルＥＳ１〜ＥＳ４と順次に連結して開閉することによって、エネルギー貯蔵単位セルＥＳ１〜ＥＳ４が同一の電圧を有するようになる。上述したように、本発明の実施例によると、電圧均等化のためにマイクロプロセッサのような高価なコントローラを使用する代わりに、安価なタイムスイッチＴＳＷ１〜ＴＳＷ４を用いる。従って、低コストで電圧均等化装置を具現できる。
【００３２】
一方、図２の（ａ）とは異なる順序で具現されてもよいが、これについては図２の（ｂ）を参照して説明する。
【００３３】
図２の（ｂ）を参照すると、ｔ４時点までは図２の（ａ）と同様である。但し、ｔ５時点では、第１エネルギー貯蔵単位セルＥＳ１と第１バランスキャパシタＣｂ１が連結されて開閉される代わりに、第３エネルギー貯蔵単位セルＥＳ３と第１バランスキャパシタＣｂ１が連結されて開閉される。その後、ｔ６時点で、第２エネルギー貯蔵単位セルＥＳ２と第１バランスキャパシタＣｂ１が連結されて開閉され、ｔ６時点で、さらに１エネルギー貯蔵単位セルＥＳ１と第１バランスキャパシタＣｂ１が連結されて開閉される。上述した過程は繰り返し行われる。
【００３４】
図３は、本発明の第２実施例による電圧均等化装置の構成図である。図１とは異なり、第２スイッチモジュール１２０と第２バランスキャパシタＣｂ２をさらに含むように構成される。一方、図４は、図２の第２実施例による電圧均等化装置で使用される複数のタイムスイッチの連結開閉を示したタイミング図である。
【００３５】
図３を参照すると、本発明の第２実施例による電圧均等化装置は、第２スイッチモジュール１２０と第２バランスキャパシタＣｂ２をさらに含んでいる。第２スイッチモジュール１２０は、図１で説明したように、複数のスイッチを含み、複数のスイッチそれぞれは一対で構成される。また、各対のスイッチは同じ時点でオン／オフされるように動作する。具体的には、一対のスイッチＴＳＷ１’の一方は、第１エネルギー貯蔵単位セルＥＳ１の一端と第１バランスキャパシタＣｂ１の一端間に置かれ、一対のスイッチＴＳＷ１’の他方は、第１エネルギー貯蔵単位セルＥＳ１の他端と第１バランスキャパシタＣｂ１の他端間に置かれ、一対のスイッチＴＳＷ２’の一方は、第２エネルギー貯蔵単位セルＥＳ２の一端と第１バランスキャパシタＣｂ１の一端間に置かれ、一対のスイッチＴＳＷ２’の他方は、第２エネルギー貯蔵単位セルＥＳ２の他端と第１バランスキャパシタＣｂ１の他端間に置かれ、一対のスイッチＴＳＷ３’の一方は、第３エネルギー貯蔵単位セルＥＳ３の一端と第１バランスキャパシタＣｂ１の一端間に置かれ、一対のスイッチＴＳＷ３’の他方は、第３エネルギー貯蔵単位セルＥＳ３の他端と第１バランスキャパシタＣｂ１の他端間に置かれ、一対のスイッチＴＳＷ４’の一方は、第４エネルギー貯蔵単位セルＥＳ４の一端と第１バランスキャパシタＣｂ１の一端間に置かれ、一対のスイッチＴＳＷ４’の他方は、第４エネルギー貯蔵単位セルＥＳ４の他端と第１バランスキャパシタＣｂ１の他端間に置かれる。このような各スイッチＴＳＷ１’〜ＴＳＷ４’は、予め設定された周期でオン／オフを繰り返すタイムスイッチを含むことができる。
【００３６】
同様に、第２バランスキャパシタＣｂ２は、例えば、キャパシタなどのような、エネルギーを貯蔵するための素子である。特に、第１バランスキャパシタＣｂ１乃至第２バランスキャパシタＣｂ２は、図４のようなタイミングに従って動作する第１スイッチモジュール１１０及び第２スイッチモジュール１２０の動作により各エネルギー貯蔵単位セルＥＳ１〜ＥＳ４と順次に連結して開閉されることで、エネルギー貯蔵単位セルＥＳ１〜ＥＳ４間の電圧を均等化することができる。図３のように、２つのバランスキャパシタＣｂ１、Ｃｂ２を用いる場合、１つのバランスキャパシタＣｂ１を使用する場合に比べてより速い時間内に電圧均等化を達成できる効果がある。また、予期しなかった障害により第１バランスキャパシタＣｂ１に異常が生じた場合には、第２バランスキャパシタＣｂ２を介して電圧均等化を行うことができるため、それだけ信頼性も確保できる効果がある。一方、本発明では２つのバランスキャパシタＣｂ１、Ｃｂ２のみを例示しているが、必要に応じて３個以上のバランスキャパシタを含ませて構成してもよい。
【００３７】
上述した第１スイッチモジュール１１０及び第２スイッチモジュール１２０の連結開閉の順序を図４を参照して詳しく説明する。
【００３８】
図４を参照すると、まず、ｔ１時点で、スイッチＴＳＷ１がターンオンされ、第１エネルギー貯蔵単位セルＥＳ１と第１バランスキャパシタＣｂ１が連結される。また、ｔ１時点では、スイッチＴＳＷ４’がターンオンされ、第４エネルギー貯蔵単位セルＥＳ４と第２バランスキャパシタＣｂ２が連結される。これによって、第１エネルギー貯蔵単位セルＥＳ１と第１バランスキャパシタＣｂ１の電圧、そして、第４エネルギー貯蔵単位セルＥＳ４と第２バランスキャパシタＣｂ１の電圧が同一となる。一方、一定の時点を経過すると、スイッチＴＳＷ１、ＴＳＷ４’がターンオフされる。
【００３９】
その後、ｔ２時点で、スイッチＴＳＷ２がターンオンされ、第２エネルギー貯蔵単位セルＥＳ２と第１バランスキャパシタＣｂ１が連結される。また、ｔ２時点では、スイッチＴＳＷ３’がターンオンされ、第３エネルギー貯蔵単位セルＥＳ３と第２バランスキャパシタＣｂ２が連結される。これによって、第２エネルギー貯蔵単位セルＥＳ１と第１バランスキャパシタＣｂ１の電圧、そして、第３エネルギー貯蔵単位セルＥＳ２と第２バランスキャパシタＣｂ１の電圧が同一となる。一方、一定の時点を経過すると、スイッチＴＳＷ２、ＴＳＷ３’がターンオフされる。
【００４０】
その後、ｔ３時点で、スイッチＴＳＷ３がターンオンされ、第３エネルギー貯蔵単位セルＥＳ３と第１バランスキャパシタＣｂ１が連結される。また、ｔ３時点では、スイッチＴＳＷ２’がターンオンされ、第２エネルギー貯蔵単位セルＥＳ２と第２バランスキャパシタＣｂ２が連結される。これによって、第３エネルギー貯蔵単位セルＥＳ３と第１バランスキャパシタＣｂ１の電圧、そして、第２エネルギー貯蔵単位セルＥＳ２と第２バランスキャパシタＣｂ１の電圧が同一となる。一方、一定の時点を経過すると、スイッチＴＳＷ３、ＴＳＷ２’がターンオフされる。
【００４１】
その後、ｔ４時点でスイッチＴＳＷ４がターンオンされ、第４エネルギー貯蔵単位セルＥＳ４と第１バランスキャパシタＣｂ１が連結される。また、ｔ４時点ではスイッチＴＳＷ１’がターンオンされ、第１エネルギー貯蔵単位セルＥＳ１と第２バランスキャパシタＣｂ２が連結される。これによって、第４エネルギー貯蔵単位セルＥＳ４と第１バランスキャパシタＣｂ１の電圧、そして、第１エネルギー貯蔵単位セルＥＳ１と第２バランスキャパシタＣｂ２の電圧が同一となる。一方、一定の時点を経過すると、スイッチＴＳＷ４、ＴＳＷ１’がターンオフされる。
【００４２】
即ち、図４によると、第１スイッチモジュール１１０乃至第２スイッチモジュール１２０のスイッチング動作によって、第１バランスキャパシタＣｂ１はスイッチＴＳＷ１からスイッチＴＳＷ４の順に、第２バランスキャパシタＣｂ２はスイッチＴＳＷ４’からスイッチＴＳＷ１’の順に連結が開閉される過程を繰り返す。
【００４３】
上述した過程は繰り返し行われることができ、２つのバランスキャパシタＣｂ１、Ｃｂ２を各エネルギー貯蔵単位セルＥＳ１〜ＥＳ４と順次に連結して開閉することによって、エネルギー貯蔵単位セルＥＳ１〜ＥＳ４が同一の電圧を有するようになる。上述したように、本発明の実施例によると、電圧均等化のためにマイクロプロセッサのような高価なコントローラを使用する代わりに、安価なタイムスイッチＴＳＷ１〜ＴＳＷ４、ＴＳＷ１’〜ＴＳＷ４’を用いる。これにより、低コストで電圧均等化装置を具現できる。
【００４４】
以上のように図面と明細書に最適な実施例が開示された。ここで、特定の用語が使われたが、これは単に本発明を説明するための目的として使われたことであり、意味の限定や特許請求の範囲に記載された本発明の範囲を制限するために使われたものではない。したがって、当業者であれば、ここから多様な変形および均等な他の実施例が可能なことを容易に理解しうる。よって、本発明の真の技術的保護範囲は、特許請求の範囲の技術的思想によって決定されねばならない。
【符号の説明】
【００４５】
１００  エネルギー貯蔵モジュール
１１０  第１スイッチモジュール
１２０  第２スイッチモジュール
ＴＳＷ１〜ＴＳＷ４、ＴＳＷ１’〜ＴＳＷ４’  タイムスイッチ
ＥＳ１〜ＥＳ４  エネルギー貯蔵単位セル
Ｃｂ１、Ｃｂ２  バランスキャパシタ
【図１】
2012044855.tif 000003
【図２】
2012044855.tif 000004
【図３】
2012044855.tif 000005
【図４】
2012044855.tif 000006